(57)【要約】 【課題】部品の位置ずれの抑制を図ることができる電子機器を提供する。【解決手段】一つの実施形態に係る電子機器は、筐体と、前記筐体に収容された基板と、前記基板に設けられたパッドと、部品とを備えている。前記パッドは、第１の部分と、この第１の部分側に突出した部分を有した第２の部分とを備えている。前記部品は、前記パッドの第１の部分に接続された第１の電極と、前記パッドの第２の部分に接続された第２の電極とを有する。【選択図】図７
2012195457.tif 000002
【特許請求の範囲】
【請求項１】
筐体と、
前記筐体に収容された基板と、
前記基板に設けられ、第１のパッド部と、第２のパッド部とを有し、この第２のパッド部が、第１の部品の電極の縁部の少なくとも一部に対応した辺部を有した第１の領域と、この第１の領域よりも前記第１のパッド部に向いて突出した部分を有し、前記第１の部品の電極とは大きさが異なる第２の部品の電極の縁部の少なくとも一部に対応した辺部を有した第２の領域とを備えたパッドと、
前記第１のパッド部に接合される端子と、前記第２のパッド部に接合される前記電極とを有した前記第１の部品、及び、前記第１のパッド部に接合される端子と、前記第２のパッド部に接合される前記電極とを有した前記第２の部品のうちいずれか一方と、
を備えた電子機器。
【請求項２】
請求項１の記載において、
前記第１の部品及び前記第２の部品は、それぞれ半導体が内蔵された封止部を有し、前記電極の少なくとも一部は、前記封止部の前記基板に向かい合う領域に設けられた電子機器。
【請求項３】
請求項１または請求項２の記載において、
前記第１の領域及び前記第２の領域は、互いに一体に形成された電子機器。
【請求項４】
請求項１または請求項３の記載において、
前記第２の領域は、前記第２のパッド部から前記第１のパッド部に向かう第１の方向とは交差する第２の方向で前記第１の領域に隣接した第１の部分と、前記第２の方向で前記第１の領域に隣接しない第２の部分とを有し、
前記第１の部品の電極は、前記第１の領域と、前記第２の領域の第１の部分とに亘って接合される電子機器。
【請求項５】
請求項４の記載において、
前記基板は、前記第１の領域の辺部と前記第２の領域の辺部との間に規定され、前記第２の方向で前記第２の領域の第２の部分に隣接した絶縁部を有し、
前記第２の部品の電極は、前記第１の領域と、前記第２の領域の第１の部分及び第２の部分とに亘って接合されるとともに、前記絶縁部に重なる電子機器。
【請求項６】
請求項１または請求項５の記載において、
前記パッドは、前記電極、または前記電極と一体または別に設けられた他の端子が接合される第３のパッド部を有し、前記第２のパッド部は、前記第１のパッド部と前記第３のパッド部との間に位置された電子機器。
【請求項７】
請求項１または請求項６の記載において、
前記第２のパッド部は、前記第２の領域よりも、さらに前記第１のパッド部に向いて突出した部分を有し、前記第１の部品の電極及び前記第２の部品の電極とは大きさが異なる第３の部品の電極の縁部の少なくとも一部に対応した辺部を有した第３の領域を備え、
当該電子機器は、前記第１の部品、前記第２の部品、及び、前記第３の部品のうちいずれか一つを備えた電子機器。
【請求項８】
請求項１の記載において、
前記第１の領域の辺部と前記第２の領域の辺部とは、長さが略同じである電子機器。
【請求項９】
筐体と、
前記筐体に収容された基板と、
前記基板に設けられ、第１の部品の電極の少なくとも一部に対応した第１の縁部と、第２の部品の電極の少なくとも一部に対応した第２の縁部とを有したパッドと、
前記第１の部品及び前記第２の部品のうちいずれか一方と、
を備えた電子機器。
【請求項１０】
筐体と、
前記筐体に収容された基板と、
前記基板に設けられ、第１の部分と、この第１の部分側に突出した部分を有した第２の部分とを備えたパッドと、
前記パッドの第１の部分に接続された第１の電極と、前記パッドの第２の部分に接続された第２の電極とを有した部品と、
を備えた電子機器。
【発明の詳細な説明】
【技術分野】
【０００１】
本発明の実施形態は、電子機器に関する。
【背景技術】
【０００２】
表面実装部品の位置ずれを抑制する基板が提供されている。
【先行技術文献】
【特許文献】
【０００３】
【特許文献１】特開２００８−２６３０３０号公報
【発明の概要】
【発明が解決しようとする課題】
【０００４】
電子機器は、部品の位置ずれの抑制が要望されている。
【０００５】
本発明の目的は、部品の位置ずれの抑制を図ることができる電子機器を提供することである。
【課題を解決するための手段】
【０００６】
実施形態によれば、電子機器は、筐体と、前記筐体に収容された基板と、前記基板に設けられたパッドと、部品とを備えている。前記パッドは、第１の部分と、この第１の部分側に突出した部分を有した第２の部分とを備えている。前記部品は、前記パッドの第１の部分に接続された第１の電極と、前記パッドの第２の部分に接続された第２の電極とを有する。
【図面の簡単な説明】
【０００７】
【図１】第１の実施形態に係る電子機器の斜視図。
【図２】第１の実施形態に係る基板の平面図。
【図３】第１の実施形態に係るパッドの平面図。
【図４】図２中に示された基板の断面図。
【図５】図３中に示されたパッドに実装される部品の一例の下面図。
【図６】図３中に示されたパッドに第１の部品を実装した場合の平面図。
【図７】図３中に示されたパッドに第２の部品を実装した場合の平面図。
【図８】図３中に示されたパッドに第３の部品を実装した場合の平面図。
【図９】第１の実施形態に係るパッドの第１の変形例を示す平面図。
【図１０】第１の実施形態に係るパッドの第２の変形例を示す平面図。
【図１１】第２の実施形態に係るパッドの平面図。
【図１２】図１１中に示されたパッドに第１の部品を実装した場合の平面図。
【図１３】図１１中に示されたパッドに第２の部品を実装した場合の平面図。
【図１４】第２の実施形態に係るパッドの変形例の平面図。
【図１５】第３の実施形態に係る部品の下面図。
【図１６】図１５中に示された部品を第１のパッドに実装した場合の平面図。
【図１７】図１５中に示された部品を第２のパッドに実装した場合の平面図。
【図１８】図１５中に示された部品を第３のパッドに実装した場合の平面図。
【発明を実施するための形態】
【０００８】
以下、実施の形態について、図面を参照して説明する。
【０００９】
（第１の実施形態）  
図１乃至図８は、第１の実施形態に係る電子機器１を開示している。電子機器１は、例えばノートブック型ポータブルコンピュータ（ノートＰＣ）である。なお本実施形態が適用可能な電子機器は、上記に限定されるものではない。本実施形態は、例えばテレビジョン受像機や、携帯電話、スマートフォン、電子書籍端末、ゲーム機などを含む種々の電子機器に広く適用可能である。
【００１０】
図１に示すように、電子機器１は、第１のユニット２と、第２のユニット３と、ヒンジ部４ａ，４ｂとを有する。第１のユニット２は、例えばメインボードを搭載した本体部である。第１のユニット２は、第１の筐体５を備えている。第１の筐体５は、上壁６、下壁７、及び周壁８を有し、扁平な箱状に形成されている。
【００１１】
下壁７は、電子機器１を机の上に置いた時、その机上面に向かい合う。上壁６は、下壁７との間に空間を空けて、下壁７と略平行に広がる。上壁６には、入力部９が設けられている。入力部９の一例は、キーボードである。なお入力部９は、上記に限定されるものではなく、タッチパネルやその他の入力装置であってもよい。周壁８は、下壁７の周縁部と上壁６の周縁部との間を繋いでいる。
【００１２】
図１に示すように、第２のユニット３は、例えば表示部であり、第２の筐体１１と、この第２の筐体１１に収容された表示装置１２とを備えている。表示装置１２は、例えば液晶ディスプレイであるが、これに限定されるものではない。表示装置１２は、画像や映像が表示される表示画面１２ａを有する。
【００１３】
第２の筐体１１は、ヒンジ部４ａ，４ｂによって、第１の筐体５の端部に回動可能（開閉可能）に連結されている。これにより第１のユニット２と第２のユニット３とが重ねられる第１の位置と、第１のユニット２と第２のユニット３とが開かれる第２の位置との間で、電子機器１は展開可能である。上記第２の位置では、第１のユニット２の入力部９と、第２のユニット３の表示画面１２ａとが電子機器１の外部に露出される。
【００１４】
図１に示すように、第１のユニット２の第１の筐体５には、プリント回路板２１が収容されている。プリント回路板２１は、基板アセンブリの一例である。プリント回路板２１は、基板２２と、この基板２２に実装された部品２３（電子部品、半導体装置）とを有する。図２に示すように、基板２２は、複数のパッド２４を有する。この複数のパッド２４は、少なくとも一つの共用実装用パッド２５を含む。共用実装用パッド２５（以下、単にパッド２５）は、複数種類の部品に対応し、それら部品の中から一つの部品が選択的に実装されるパッドである。
【００１５】
図５は、パッド２５に実装される部品２３の一例を裏面側（下面側）から見た図である。部品２３は、例えば半導体部品であり、半導体が内蔵された封止部３０と、この封止部３０に設けられた第１乃至第３の電極３１，３２，３３を有する。封止部３０は、いわゆるケース（パッケージ本体）であり、半導体が密封保持されている。
【００１６】
図５に示すように、封止部３０は、例えば略矩形状に形成されており、基板２２に向かい合う裏面３０ａを有する。裏面３０ａは、封止部の「基板に向かい合う領域」の一例である。封止部３０は、第１の端部３４と、この第１の端部３４とは反対側に位置された第２の端部３５とを有する。
【００１７】
封止部３０の第１の端部３４には、複数の第１の電極３１が設けられている。第１の電極３１は、第１の端部３４の縁部に沿って並べられている。第１の電極３１の一例は、信号用のリード（信号端子）である。封止部３０の第２の端部３５には、複数の第３の電極３３が設けられている。第３の電極３３は、第２の端部３５の縁部に沿って並べられている。第３の電極３３の一例は、グランド用のリード（接地端子）である。
【００１８】
封止部３０の裏面３０ａには、第２の電極３２が設けられている。第２の電極３２は、いわゆる裏面電極の一例である。第２の電極３２は、平面状に形成され、第１及び第３の電極３１，３３に比べて大きい。第２の電極３２の一例は、例えば放熱用の導体部であり、比較的大きな面積を有する。
【００１９】
図５に示すように、部品２３は、裏面３０ａの中心部に対して非対称の電極構造を有する。部品２３の一例は、電界効果トランジスタ(Field Effect Transistor : FET)である。第２の電極３２は、例えば裏面３０ａの中心部から第３の電極３３側に偏って設けられている。第２の電極３２は、例えば第３の電極３３に繋がり、複数の第３の電極３３と一体に形成されている。第２の電極３２は、例えば第３の電極３３と共に、グランド電位となる接地電極を構成する。つまり、第２の電極３２の一例は、例えば電波対策などのために、グランド接続を強化する電極である。なお、第２の電極３２は、第３の電極３３とは別体に形成されてもよい。第２の電極３２の一例は、例えば電源供給用の電極である。
【００２０】
図６乃至図８は、図５に示された部品２３と略同じ構成を有した３種類の部品４１，４２，４３を示す。この図６乃至図８では、部品４１，４２，４３を表面側から見ており、説明の便宜上、封止部３０を２点鎖線で示すとともに、電極３１，３２，３３を実線で示す。なお図５に示された部品２３の構成と同一または類似する機能を有する構成は、同一の符号を付してその説明を省略する。
【００２１】
３種類の部品４１，４２，４３は、第２の電極３２（裏面電極）の大きさが互いに異なるが、その他の部分は互いに同じでもよく、異なってもよい。３種類の部品４１，４２，４３は、例えば機能が同じ部品であるが、これに限定されるものではなく、機能が異なる部品でもよい。
【００２２】
図６乃至図８に示すように、第１乃至第３の部品４１，４２，４３は、例えば略同じ外形の封止部３０と、略同じ位置に配置された第１及び第３の電極３１，３３とを有する。一方で、第１乃至第３の部品４１，４２，４３は、互いに大きさが異なる第２の電極３２を有する。
【００２３】
例えば、第２の部品４２の第２の電極３２は、第１の部品４１の第２の電極３２よりも大きい。そして、第２の部品４２の第２の電極３２の縁部４５ｂは、第１の部品４１の第２の電極３２の縁部４５ａよりも、第１の電極３１の近くに位置されている。
【００２４】
また、第３の部品４３の第２の電極３２は、第２の部品４２の第２の電極３２よりも大きい。そして、第３の部品４３の第２の電極３２の縁部４５ｃは、第２の部品４２の第２の電極３２の縁部４５ｂよりも、第１の電極３１の近くに位置されている。なお、第２の電極３２の縁部４５ａ，４５ｂ，４５ｃとは、それぞれ第３の電極３３とは反対側に位置された縁部である。縁部４５ａ，４５ｂ，４５ｃは、例えば第２の電極３２から第１の電極３１に向かう方向とは略直交する方向に延びている。
【００２５】
次に、図３及び図４を参照して、パッド２５について説明する。  
パッド２５は、上述の第１乃至第３の部品４１，４２，４３の全てに対応し、第１乃至第３の部品４１，４２，４３のうちのいずれか一つが部品２３として選択的に実装される。
【００２６】
図３及び図４に示すように、パッド２５は、第１乃至第３のパッド部５１，５２，５３を有する。第１のパッド部５１は、パッド２５の「第１の部分」の一例である。第２のパッド部５２は、パッド２５の「第２の部分」の一例である。第３のパッド部５３は、パッド２５の「第３の部分」の一例である。
【００２７】
複数の第１のパッド部５１は、第１の電極３１に対応して設けられ、第１の電極３１が接合剤５５を介して接合される。なお接合剤５５の一例は、半田である。複数の第３のパッド部５３は、第３の電極３３に対応して設けられ、第３の電極３３が接合剤５５を介して接合される。
【００２８】
第２のパッド部５２は、第２の電極３２に対応して設けられ、第１のパッド部５１と第３のパッド部５３との間に位置されている。第２のパッド部５２には、第２の電極３２が接合剤５５を介して接合される。
【００２９】
ここで、第１の方向Ｘ及び第２の方向Ｙを定義する。第１の方向Ｘ及び第２の方向Ｙは、それぞれ基板２２の面に沿う方向である。第１の方向Ｘは、第２のパッド部５２から第１のパッド部５１に向かう方向である。第２の方向Ｙは、第１の方向Ｘとは交差する方向（例えば略直交する方向）である。
【００３０】
図３に示すように、第２のパッド部５２は、第１のパッド部５１側に位置された第１の端部５２ａと、第３のパッド部５３側に位置された第２の端部５２ｂとを有する。第２の端部５２ｂは、略直線状に形成されている。一方で、第１の端部５２ａは、凹凸形状を有する。
【００３１】
詳しく述べると、第２のパッド部５２は、第１乃至第３の領域６１，６２，６３を有する。なお、本実施形態では、第１乃至第３の領域６１，６２，６３は、互いに一体に形成されているが、これに限定されるものではなく、互いに離間して形成されてもよい。
【００３２】
図３に示すように、第１の領域６１は、例えば第２の領域６２と第３の領域６３との間に位置されている。第１の領域６１は、第１の部品４１に対応した領域である。図６に示すように、第１の領域６１は、第１の部品４１の第２の電極３２の縁部４５ａの少なくとも一部に対応した第１の辺部７１（第１の縁部）を有する。すなわち、第１の辺部７１は、第１の部品４１の第２の電極３２の縁部４５ａと略平行に延び、第１の部品４１の第２の電極３２の縁部４５ａに隣接する。
【００３３】
なお、「縁部に対応」とは、縁部に完全に重なる（接する）ものに限定されるものではなく、縁部の近く（例えば近傍）に位置されるものも含む。また、「縁部に対応」とは、縁部の全長に亘って対応するものに限られず、縁部の一部に対応するものも含む。
【００３４】
第２の領域６２は、第２の部品４２に対応した領域である。図３に示すように、第２の領域６２は、第１の領域６１よりも第１のパッド部５１に向いて突出した部分（第１の凸部）を有する。すなわち、第２の領域６２は、第１の領域６１よりも第１のパッド部５１側に突出している。詳しく述べると、第２の領域６２は、第２の方向Ｙで第１の領域６１に隣接した（並んだ）第１の部分６２ａと、第２の方向Ｙで第１の領域６１に隣接しない（並ばない）第２の部分６２ｂとを有する。この第２の部分６２ｂは、上記第１の凸部の一例を構成している。
【００３５】
図７に示すように、上記第２の部分６２ｂは、第２の部品４２の第２の電極３２の縁部４５ｂの少なくとも一部に対応した第２の辺部７２（第２の縁部）を有する。すなわち、第２の辺部７２は、第２の部品４２の第２の電極３２の縁部４５ｂと略平行に延び、第２の部品４２の第２の電極３２の縁部４５ｂに隣接する。
【００３６】
第３の領域６３は、第３の部品４３に対応した領域である。図３に示すように、第３の領域６３は、第２の領域６２よりも、さらに第１のパッド部５１に向いて突出した部分（第２の凸部）を有する。すなわち、第３の領域６３は、第２の領域６２よりも第１のパッド部５１側に突出している。詳しく述べると、第３の領域６３は、第２の方向Ｙで第１及び第２の領域６１，６２と並んだ第１の部分６３ａと、第２の方向Ｙで第１及び第２の領域６１，６２と並ばない第２の部分６３ｂとを有する。この第２の部分６３ｂは、上記第２の凸部の一例を構成している。
【００３７】
図８に示すように、上記第２の部分６３ｂは、第３の部品４３の第２の電極３２の縁部４５ｃの少なくとも一部に対応した第３の辺部７３（第３の縁部）を有する。すなわち、第３の辺部７３は、第３の部品４３の第２の電極３２の縁部４５ｃと略平行に延び、第３の部品４３の第２の電極３２の縁部４５ｃに隣接する。
【００３８】
図３に示すように、第２のパッド部５２の第１の端部５２ａの辺長は、そのパッド２５に実装される部品の種類に合わせて等分される。本実施形態では、第２のパッド部５２の第１の端部５２ａの辺長は、３種類の部品４１，４２，４３に合わせて、３等分されている。すなわち、第１の辺部７１の長さＬｌ、第２の辺部７２の長さＬ２、及び第３の辺部７３の長さＬ３は、互いに略同じである。
【００３９】
図３に示すように、基板２２は、パッド２５の第１の端部３４の凹凸形状によって形成され、一対の第３の領域６３の間に入り込んだ絶縁部７５（非パッド部）を有する。絶縁部７５は、例えばレジストが設けられ、接合剤５５が広がらないようになっている。
【００４０】
絶縁部７５は、第１の部分７５ａと、第２の部分７５ｂとを有する。第１の部分７５ａは、第１の辺部７１と第２の辺部７２との間に規定され、第２の方向Ｙで第２の領域６２の第２の部分６２ｂに隣接している。第２の部分７５ｂは、第２の辺部７２と第３の辺部７３との間に規定され、第２の方向Ｙで第３の領域６３の第２の部分６３ｂに隣接している。
【００４１】
図６に示すように、第１の部品４１は、第１の領域６１と、第２の領域６２の第１の部分６２ａと、第３の領域６３の第１の部分６３ａの一部とに亘って接合される。図７に示すように、第２の部品４２は、第１の領域６１と、第２の領域６２の第１及び第２の部分６２ａ，６２ｂと、第３の領域６３の第１の部分６３ａとに亘って接合されるとともに、絶縁部７５の第１の部分７５ａに重なる。図８に示すように、第３の部品４３は、第１の領域６１と、第２の領域６２の第１及び第２の部分６２ａ，６２ｂと、第３の領域６３の第１及び第２の部分６３ａ，６３ｂとに亘って接合されるとともに、絶縁部７５の第１及び第２の部分７５ａ，７５ｂに重なる。
【００４２】
次に、パッド２５の作用について説明する。  
パッド２５への部品２３の実装は、半田のような接合剤５５をパッド２５の上に予め供給するとともに、リフロー工程で接合剤５５を溶融することで、部品２３の電極３１，３２，３３をパッド２５に接合する。リフロー時には、接合剤５５は、溶融することで流動性を有し、パッド２５の形状に合わせて広がる。そして接合剤５５は、パッド２５の辺部７１，７２，７３で表面張力を生じさせる。
【００４３】
なお、はんだは溶融時に、パッド部５２の全体（すなわち第１乃至第３の領域６１，６２，６３に亘って）濡れ広がり、パッド部５２の全体として電極３２に表面張力を作用させる。その上で、ここでは説明の便宜上、特定の領域に生じる表面張力に注目して個別の現象を説明する。
【００４４】
図６に示すように、第１の部品４１を実装する場合、第１の部品４１の第２の電極３２は、第１の辺部７１で生じる接合剤５５の表面張力によって位置が安定しやすい。すなわち、第１の部品４１の第２の電極３２が第１の辺部７１を超えて第１のパッド部５１側に移動しようとすると、第１の辺部７１で生じる接合剤５５の表面張力によって、第１の部品４１に、移動方向とは反対方向に引っ張る力が生じる。これにより、第１の部品４１の位置ずれが抑制され、第１の部品４１は、第２の電極３２の縁部４５ａが第１の辺部７１に隣接した位置で保持される。
【００４５】
図７に示すように、第２の部品４２を実装する場合、第２の部品４２の第２の電極３２は、第２の辺部７２で生じる接合剤５５の表面張力によって位置が安定しやすい。すなわち、第２の部品４２の第２の電極３２が第２の辺部７２を超えて第１のパッド部５１側に移動しようとすると、第２の辺部７２で生じる接合剤５５の表面張力によって、第２の部品４２に、移動方向とは反対方向に引っ張る力が生じる。これにより、第２の部品４２の位置ずれが抑制され、第２の部品４２は、第２の電極３２の縁部４５ｂが第２の辺部７２に隣接した位置で保持される。
【００４６】
図８に示すように、第３の部品４３を実装する場合、第３の部品４３の第２の電極３２は、第３の辺部７３で生じる接合剤５５の表面張力によって位置が安定しやすい。これにより、第３の部品４３の位置ずれが抑制され、第３の部品４３は、第２の電極３２の縁部４５ｃが第３の辺部７３に隣接した位置で保持される。
【００４７】
このような構成によれば、１種類のパッド２５に複数種類の部品４１，４２，４３が選択的に実装装可能であるとともに、いずれの部品が実装された場合であっても、その部品の位置ずれが抑制される。
【００４８】
同じ機能を有する部品であっても、例えば部品メーカーごとに、第２の電極３２（裏面電極）の大きさが異なる場合がある。このとき、１種類のパッド２５で、第２の電極３２の大きさが異なる複数種類の部品に対応するためには、最大の電極サイズに合わせてパッド２５を矩形状に形成することが考えられる。
【００４９】
しかしながらその場合、そのパッド２５に、最大ではない電極サイズをもつ部品を実装しようとすると、リフロー工程で接合剤５５が流動性を有した時、パッド部５１，５２，５３のはんだの表面張力の釣り合いで部品が移動し、概ね、電極の縁部がパッドの縁部に重なるように部品が移動してしまい、部品の位置ずれが生じる可能性がある。
【００５０】
そこで本実施形態のパッド２５は、第１のパッド部５１と、この第１のパッド部５１に向いて突出した部分を有した第２のパッド部５２とを備えている。このような構成によれば、第１のパッド部５１側に位置されたパッド縁部の辺長を短くなるので、矩形状のパッドを設けた場合に比べて、第１のパッド部５１に向いて部品２３が引っ張られる力を緩和することができる。さらに、第１のパッド部５１に向いて、部品２３の電極３２が例えば第１の辺部７１を超えて移動しようとすると、第１の辺部７１で生じる表面張力によって、移動方向とは反対方向の力が部品２３に加わる。また、逆に、第３のパッド部５３に向いて、部品２３の電極３２が例えば第３の辺部７３を超えて移動しようとすると、第３の辺部７３で生じる表面張力によって、移動方向とは反対方向の力が部品２３に加わる。このため、部品２３の位置が安定しやすく、位置ずれが生じにくくなる。
【００５１】
本実施形態では、パッド２５は、第１の部品４１の電極３２の少なくとも一部に対応した第１の辺部７１と、第２の部品４２の電極３２の少なくとも一部に対応した第２の辺部７２とを有する。このような構成によれば、第１の部品４１の電極３２は、第１の辺部７１によって位置が安定しやすい。さらに、第２の部品４２の電極３２は、第２の辺部７２によって位置が安定しやすい。このため、ひとつのパッド２５で、２つの部品４１，４２の位置ずれがそれぞれ抑制される。
【００５２】
本実施形態では、第２のパッド部５２は、第１の部品４１の電極３２の縁部４５ａの少なくとも一部に対応した第１の辺部７１と、第２の部品４２の電極３２の縁部４５ｂの少なくとも一部に対応した第２の辺部７２とを有する。このような構成によれば、電極３２の縁部４５ａが第１の辺部７１に隣接した位置で第１の部品４１が安定する。さらに、電極３２の縁部４５ｂが第２の辺部７２に隣接した位置で第２の部品４２が安定する。このため、ひとつのパッド２５で、２つの部品４１，４２の位置ずれがそれぞれさらに抑制されやすい。また、第１の辺部７１及び第２の辺部７２が、それぞれ位置決めのガイドとして機能することができるので、部品４１，４２，４３の位置ずれがさらに抑制される。
【００５３】
第１乃至第３の部品４１，４２，４３は、それぞれ半導体が内蔵された封止部３０を有する。そして、第２の電極３２の少なくとも一部は、封止部３０の基板２２に向かい合う領域に設けられている。このような構成によれば、いわゆる裏面電極の大きさが異なる複数の部品４１，４２，４３の位置ずれを抑制することができる。
【００５４】
本実施形態では、第１及び第２の領域６１，６２は、互いに一体に形成されている。このような構成では、第１及び第２の領域６１，６２に接合剤５５を供給しやすく、製造性が良好である。
【００５５】
本実施形態では、第２のパッド部５２は、第１のパッド部５１と第３のパッド部５３との間に位置されている。このような構成であれば、部品裏面の電極３２の大きさが異なる複数の部品４１，４２，４３の位置ずれを抑制することができる。
【００５６】
本実施形態では、第２のパッド部５２は、第３の部品４３の電極３２の縁部４５ａの少なくとも一部に対応した第３の辺部７３を有する。これによれば、３種類の部品４１，４２，４３に対応可能な共用パッド２５が提供可能になる。
【００５７】
本実施形態では、第２及び第３の領域６２，６３は、第１の領域６１の両側に分かれて位置されている。このため、第２の領域６２にある接合剤５５は、第３の領域６３に広がりにくい。すなわち接合剤５５の移動がある程度制限されるので、部品４１，４２，４３の位置ずれがさらに抑制される。
【００５８】
本実施形態では、第１乃至第３の辺部７１，７２，７３は、長さが略同じである。この構成によれば、引っ張り力を略均等に分散させることができる。これによれば、３つの部品４１，４２，４３の位置がさらに安定しやすい。
【００５９】
次に、図９及び図１０を参照して、いくつの変形例を説明する。  
図９に示すように、第２のパッド部５２と、第３のパッド部５３とは互いに一体に形成されてもよい。このような構成でも、上記実施形態と同様の効果を奏することができる。
【００６０】
図１０に示すように、第２のパッド部５２は、第２の端部５２ｂにも凹凸形状を有してもよい。すなわち、第２の領域６２は、第１の領域６１よりも、第３のパッド部５３に向いて突出した部分を有する。第３の領域６３は、第２の領域６２よりも、第３のパッド部５３に向いて突出した部分を有する。このような構成によれば、第２のパッド部５２内での接合剤５５の移動が制限されやすくなる。そのため、部品４１，４２，４３の位置もさらに安定しやすくなる。
【００６１】
（第２の実施形態）  
次に、本発明の第２の実施形態に係る電子機器１について、図１１乃至図１３を参照して説明する。なお上記第１の実施形態の構成と同一または類似の機能を有する構成は、同一の符号を付してその説明を省略する。また、下記に説明する以外の構成は、上記第１の実施形態と同じである。
【００６２】
本実施形態のパッド２５は、２種類の部品４１，４２に対応し、第１及び第２の部品４１，４２のうちのいずれか一つが部品２３として選択的に実装される。詳しく述べると、第２のパッド部５２は、第１及び第２の領域６１，６２を有する。なお、本実施形態では、第１及び第２の領域６１，６２は、互いに一体に形成されているが、これに限定されるものではなく、互いに離間して形成されてもよい。本実施形態では、第２のパッド部５２の第１の端部５２ａの辺長は、２種類の部品４１，４２に合わせて、２等分されている。すなわち、第１の辺部７１の長さＬ１と、第２の辺部７２の長さＬ２は、互いに略同じである。
【００６３】
図１１に示すように、基板２２は、第２のパッド部５２の第１の端部５２ａの凹凸形状によって形成され、一対の第２の領域６２の間に入り込んだ絶縁部７５（非パッド部）を有する。絶縁部７５は、第１の辺部７１と第２の辺部７２との間に規定され、第２の方向Ｙで第２の領域６２の第２の部分６２ａに隣接している。
【００６４】
図１２に示すように、第１の部品４１は、第１の領域６１と、第２の領域６２の第１の部分６２ａとに亘って接合される。図１３に示すように、第２の部品４２は、第１の領域６１と、第２の領域６２の第１及び第２の部分６２ａ，６２ｂとに亘って接合されるとともに、絶縁部７５に重なる。
【００６５】
このような構成によれば、上記第１の実施形態と同様に、１種類のパッド２５に複数種類の部品４１，４２が選択的に実装装可能であるとともに、いずれの部品が実装された場合であっても、その部品の位置ずれが抑制される。
【００６６】
なお図１４は、本実施形態に係るパッド２５の一つの変形例を示す。図１４に示すように、パッド２５は、凹凸の分割数を増やしてもよい。すなわち、パッド２５は、例えばそれぞれ３つ以上の第１の領域６１と第２の領域６２とを有してもよい。凹凸の分割数が増やされたパッド２５の一例は、複数の第１の辺部７１の長さの合計値と、複数の第２の辺部７２の長さの合計値とが例えば略同じである。
【００６７】
なお、上記第１の実施形態のような３つの領域６１，６２，６３を有するパッド２５においても、図１４の構成と同様に、凹凸の分割数を増やしてもよい。
【００６８】
（第３の実施形態）  
次に、本発明の第３の実施形態に係る電子機器１について、図１５乃至図１８を参照して説明する。なお上記第１の実施形態の構成と同一または類似の機能を有する構成は、同一の符号を付してその説明を省略する。また、下記に説明する以外の構成は、上記第１の実施形態と同じである。
【００６９】
本実施形態の部品８１（電子部品）は、複数種類のパッド（複数種類の基板）に対応し、それらパッドのいずれにも実装可能な共用実装用の電極を有する。本実施形態の部品８１は、例えば３種類のパッド９１，９２，９３に対応し、それらパッド９１，９２，９３のいずれにも実装可能な電極３２を有する。図１６乃至図１８は、部品８１が対応する３種類のパッド９１，９２，９３を示す。
【００７０】
図１６乃至図１８に示すように、上記３種類のパッド９１，９２，９３は、第２のパッド部５２の大きさは互いに異なるが、その他の部分は互いに同じでもよく、異なってもよい。３種類のパッド９１，９２，９３は、例えば機能が同じパッドであるが、これに限定されるものではなく、機能が異なるパッドでもよい。
【００７１】
第１乃至第３のパッド９１，９２，９３は、例えば略同じ第１及び第３のパッド部５１，５３を有する。一方で、第１乃至第３のパッド９１，９２，９３は、互いに大きさが異なる第２のパッド部５２を有する。
【００７２】
例えば、第２のパッド９２の第２のパッド部５２は、第１のパッド９１の第２のパッド部５２よりも大きい。そして、第２のパッド９２の第２のパッド部５２の縁部９５ｂは、第１のパッド９１の第２のパッド部５２の縁部９５ａよりも、第１のパッド部５１の近くに位置されている。
【００７３】
また、第３のパッド９３の第２のパッド部５２は、第２のパッド９２の第２のパッド部５２よりも大きい。そして、第３のパッド９３の第２のパッド部５２の縁部９５ｃは、第２のパッド９２の第２のパッド部５２の縁部９５ｂよりも、第１のパッド部５１の近くに位置されている。なお、第２のパッド部５２の縁部９５ａ，９５ｂ，９５ｃとは、それぞれ第３のパッド部５３とは反対側に位置された縁部である。
【００７４】
次に、部品８１について説明する。
【００７５】
図１５は、部品８１の一例を裏面側から見た図である。部品８１は、例えば半導体部品である。部品８１は、第１乃至第３の電極３１，３２，３３を有する。第２の電極３２は、第１の電極３１側に位置された第１の端部３２ａと、第３の電極３３側に位置された第２の端部３２ｂとを有する。第２の端部３２ｂは、略直線状に形成されている。一方で、第１の端部３２ａは、凹凸形状を有する。
【００７６】
第２の電極３２は、第１乃至第３の領域６１，６２，６３を有する。なお、本実施形態では、第１乃至第３の領域６１，６２，６３は、互いに一体に形成されているが、これに限定されるものではなく、互いに離間して形成されてもよい。
【００７７】
図１５に示すように、第１の領域６１は、例えば第２の領域６２と第３の領域６３との間に位置されている。第１の領域６１は、第１のパッド９１に対応した領域である。図１６に示すように、第１の領域６１は、第１のパッド９１の第２のパッド部５２の縁部９５ａの少なくとも一部に対応した第１の辺部７１（第１の縁部）を有する。すなわち、第１の辺部７１は、第１のパッド９１の第２のパッド部５２の縁部９５ａと略平行に延び、第１のパッド９１の第２のパッド部５２の縁部９５ａに隣接する。
【００７８】
第２の領域６２は、第２のパッド９２に対応した領域である。図１７に示すように、第２の領域６２は、第１の領域６１よりも第１の電極３１に向いて突出した部分（第１の凸部）を有する。すなわち、第２の領域６２は、第１の領域６１よりも第１の電極３１側に突出している。第２の領域６２は、第２のパッド９２の第２のパッド部５２の縁部９５ｂの少なくとも一部に対応した第２の辺部７２（第２の縁部）を有する。すなわち、第２の辺部７２は、第２のパッド９２の第２のパッド部５２の縁部９５ｂと略平行に延び、第２のパッド９２の第２のパッド部５２の縁部９５ｂに隣接する。
【００７９】
第３の領域６３は、第３のパッド９３に対応した領域である。図１８に示すように、第３の領域６３は、第２の領域６２よりも、さらに第１の電極３１に向いて突出した部分（第２の凸部）を有する。すなわち、第２の領域６３は、第２の領域６２よりも第１の電極３１側に突出している。第３の領域６３は、第３のパッド９３の第２のパッド部５２の縁部９５ｃの少なくとも一部に対応した第３の辺部７３（第３の縁部）を有する。すなわち、第３の辺部７３は、第３のパッド９３の第２のパッド部５２の縁部９５ｃと略平行に延び、第３のパッド９３の第２のパッド部５２の縁部９５ｃに隣接する。
【００８０】
図１５に示すように、第２の電極３２の第１の端部３２ａの辺長は、その部品８１が実装されるパッドの種類に合わせて等分される。本実施形態では、第２の電極３２の第１の端部３２ａの辺長は、３種類のパッド９１，９２，９３に合わせて、３等分されている。すなわち、第１の辺部７１の長さＬ１と、第２の辺部７２の長さＬ２と、第３の辺部７３の長さＬ３は、互いに略同じである。封止部３０は、第２の電極３２の第１の端部３２ａの凹凸形状によって形成され、一対の第３の領域６３の間に入り込んだ絶縁部７５（非電極部）を有する。
【００８１】
このような構成によれば、上記第１の実施形態と同様の作用により、複数種類のパッド９１，９２，９３のいずれに対しても部品８１を実装可能であるとともに、いずれのパッド９１，９２，９３に実装された場合であっても、部品８１の位置ずれが抑制される。
【００８２】
ここで、機能が同じ部品が実装されるパッドであっても、例えばメーカーごとに、第２のパッド部５２の大きさが異なる場合がある。本実施形態の部品８１によれば、第２のパッド部５２の大きさが異なる複数種類のパッド９１，９２，９３（すなわち複数種類の基板）に対して、１種類の部品８１で対応することができる。
【００８３】
なお上記第１の実施形態に対する上記第２の実施形態のように、第２の電極３２は、第１及び第２の領域６１，６２のみを有し、２種類のパッド９１，９２に対応してもよい。また、図１４に示す構成のように、第２の電極３２は、凹凸の分割数を増やしてもよい。
【００８４】
以上説明した第１乃至第３の実施形態によれば、部品の位置ずれを抑制することができる。
【００８５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００８６】
例えば、上記実施形態では、パッド２５及び部品８１は、それぞれ３種類または２種類の部品やパッドに対応しているが、これに限定されるものではなく、４種類以上の部品やパッドに対応させてもよい。パッド２５や、電極３２の形状は、上記限定されるものではない。第１乃至第３の辺部７１，７２，７３は長さが異なってもよい。部品２３は、第３の電極３３を有さずに、第２の電極３２の一部が第３のパッド５３に接合されてもよい。
【００８７】
ここで、いくつかの電子機器及び部品を付記する。  
一つの形態に係る電子機器は、筐体と、前記筐体に収容され、第１のパッド及び第２のパッドのいずれか一つが設けられた基板と、前記基板に実装された部品とを有する。前記部品は、前記第１のパッド及び前記第２のパッドのいずれか一つに選択的に実装可能な部品であり、前記第１のパッドの少なくとも一部に対応した第１の縁部と、前記第２のパッドの少なくとも一部に対応した第２の縁部とを有した電極を備えている。
【００８８】
一つの形態に係る電子機器は、筐体と、前記筐体に収容され、第１の部分と第２の部分とを有したパッドを備えた基板と、前記パッドに実装された部品とを有する。前記部品は、前記第１の部分に接合された第１の電極と、この第１の電極に向いて突出した部分を有し、前記第２の部分に接合された第２の電極とを備えている。
【００８９】
一つの形態に係る部品（半導体装置）は、第１のパッド及び第２のパッドのいずれか一つに選択的に実装可能な部品であり、前記第１のパッドの少なくとも一部に対応した第１の縁部と、前記第２のパッドの少なくとも一部に対応した第２の縁部とを有した電極を備えている。
【００９０】
一つの形態に係る部品（半導体装置）は、第１の電極と、この第１の電極に向いて突出した部分を有した第２の電極とを備えている。
【符号の説明】
【００９１】
Ｘ…第１の方向、Ｙ…第２の方向、１…電子機器、５…筐体、２２…基板、２３…部品、２５…パッド、３０…封止部、３０ａ…裏面、３１…第１の電極、３２…第２の電極、４１…第１の部品、４２…第２の部品、４３…第３の部品、５１…第１のパッド部、５２…第２のパッド部、５３…第３のパッド部、６１…第１の領域、６２…第２の領域、６３…第３の領域、７１…第１の辺部、７２…第２の辺部、７３…第３の辺部、７５…絶縁部、８１…部品、９１…第１のパッド、９２…第２のパッド、９３…第３のパッド。
【図１】
2012195457.tif 000003
【図２】
2012195457.tif 000004
【図３】
2012195457.tif 000005
【図４】
2012195457.tif 000006
【図５】
2012195457.tif 000007
【図６】
2012195457.tif 000008
【図７】
2012195457.tif 000009
【図８】
2012195457.tif 000010
【図９】
2012195457.tif 000011
【図１０】
2012195457.tif 000012
【図１１】
2012195457.tif 000013
【図１２】
2012195457.tif 000014
【図１３】
2012195457.tif 000015
【図１４】
2012195457.tif 000016
【図１５】
2012195457.tif 000017
【図１６】
2012195457.tif 000018
【図１７】
2012195457.tif 000019
【図１８】
2012195457.tif 000020
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
筐体と、
前記筐体に収容された基板と、
前記基板に設けられ、第１のパッド部と、第２のパッド部とを有したパッドと、
前記第１のパッド部に接合される端子と、半導体が内蔵された封止部と、該封止部の前記基板に向かい合う領域に設けられて前記第２のパッド部に接合される電極とを其々有し、前記電極の大きさが互いに異なる第１の部品及び第２の部品のうちいずれか一方と、
を備え、
前記第１の部品の電極及び前記第２の部品の電極は、これら電極の前記第１のパッド部側の端部に位置して前記第２のパッド部から前記第１のパッド部に向かう第１の方向とは略直交した第２の方向に延びた縁部を其々有し、
前記第２のパッド部は、第１の領域と、前記第２の方向で該第１の領域に隣接した第１の部分と該第１の部分から前記第１の領域よりも前記第１のパッド部に向いて突出した第２の部分とを有して前記第１の領域と一体に形成された第２の領域とを備え、
前記第１の領域は、前記第２の方向に延びて前記第１の部品の電極の前記縁部に沿う第１の辺部を有し、
前記第２の領域の第２の部分は、前記第２の方向に延びて前記第２の部品の電極の前記縁部に沿う第２の辺部を有し、
前記第１の部品の電極は、前記第１の領域と、前記第２の領域の第１の部分とに亘って接合され、前記第２の部品の電極は、前記第１の領域と、前記第２の領域の第１の部分及び第２の部分とに亘って接合される電子機器。
【請求項２】
請求項１の記載において、
前記基板は、前記第１の辺部と前記第２の辺部との間に規定され、前記第２の方向で前記第２の領域の第２の部分に隣接した絶縁部を有し、
前記第２の部品の電極は、前記絶縁部に重なる電子機器。
【請求項３】
請求項１または請求項２の記載において、
前記パッドは、前記電極、または前記電極と一体または別に設けられた他の端子が接合される第３のパッド部を有し、前記第２のパッド部は、前記第１のパッド部と前記第３のパッド部との間に位置された電子機器。
【請求項４】
請求項１または請求項３の記載において、
当該電子機器は、前記第１の部品、前記第２の部品、及び、第３の部品のうちいずれか一つを備え、
前記第３の部品は、前記第１の部品の電極及び前記第２の部品の電極とは大きさが異なるとともに前記第２のパッド部に接合される電極を有し、該第３の部品の電極は、該第３の部品の電極の前記第１のパッド部側の端部に位置して前記第２の方向に延びた縁部を有し、
前記第２のパッド部は、第３の領域をさらに有し、該第３の領域は、前記第２の方向で前記第１領域及び前記第２領域と並ぶ第１の部分と、該第１の部分から前記第２の領域よりもさらに前記第１のパッド部に向いて突出した第２の部分とを有し、
前記第３の領域の第２の部分は、前記第２の方向に延びて前記第３の部品の電極の前記縁部に沿う第３の辺部を有し、
前記第３の部品の電極は、前記第１の領域と、前記第２の領域の第１の部分及び第２の部分と、前記第３の領域の第１の部分及び前記第２の部分とに亘って接合される電子機器。
【請求項５】
請求項１の記載において、
前記第１の辺部と前記第２の辺部とは、長さが略同じである電子機器。
【請求項６】
筐体と、
前記筐体に収容された基板と、
前記基板に設けられ、第１のパッド部と、第２のパッド部と、第３のパッド部とを有し、前記第２のパッド部が前記第１のパッド部と前記第３のパッド部との間に位置したパッドと、
半導体が内蔵された封止部と、該封止部の第１の端部に設けられて前記第１のパッド部に接合される第１の端子と、前記封止部の前記第１の端部とは反対側に位置した第２の端部に設けられて前記第３のパッド部に接合される第２の端子と、前記封止部の前記基板に向かい合う領域に設けられて前記第２のパッド部に接合される電極とを有した部品と、
を備え、
前記第２のパッド部は、前記電極の前記第１のパッド部側の縁部に沿う辺部を有した第１の領域と、この第１の領域よりも前記第１のパッド部に向いて突出した部分を有するとともに前記第１の領域と一体に形成され、前記電極とはサイズが異なる他の電極の前記第１のパッド部側の縁部に沿う辺部を有した第２の領域とを備えた電子機器。
【請求項７】
筐体と、
第一及び第二端子と、該第一及び第二端子の間に位置した電極とを有し、半導体が内蔵された部品と、
前記第一及び第二端子が其々接合された第一パッド部と、前記電極が接合された第二パッド部とを有した基板と、
を備え、
前記第二パッド部は、前記電極の縁に沿う第一領域と、該第一領域よりも前記第一パッド部側に突出した部分を有して前記電極とはサイズが異なる他の電極の縁に沿う第二領域とを備えた電子機器。
【請求項８】
筐体と、
電極と該電極の両側に位置した複数の端子とを有し、半導体が内蔵された部品と、
前記複数の端子と前記電極とが其々接合されたパッドが設けられた基板と、
を備え、
前記パッドの前記電極が接合された部分は、前記電極の縁に沿う第一領域と、該第一領域よりも前記端子側に突出した部分を有して前記電極とはサイズが異なる他の電極の縁に沿う第二領域と、を含む電子機器。
【手続補正２】
【補正対象書類名】明細書
【補正対象項目名】０００６
【補正方法】変更
【補正の内容】
【０００６】
実施形態によれば、電子機器は、筐体と、前記筐体に収容された基板と、前記基板に設けられて第１のパッド部及び第２のパッド部を有したパッドと、部品とを備えている。前記部品は、前記第１のパッド部に接合される端子と、半導体が内蔵された封止部と、該封止部の前記基板に向かい合う領域に設けられて前記第２のパッド部に接合される電極とを其々有し、前記電極の大きさが互いに異なる第１の部品及び第２の部品のうちいずれか一方である。前記第１の部品の電極及び前記第２の部品の電極は、これら電極の前記第１のパッド部側の端部に位置して前記第２のパッド部から前記第１のパッド部に向かう第１の方向とは略直交した第２の方向に延びた縁部を其々有する。前記第２のパッド部は、第１の領域と、前記第２の方向で該第１の領域に隣接した第１の部分と該第１の部分から前記第１の領域よりも前記第１のパッド部に向いて突出した第２の部分とを有して前記第１の領域と一体に形成された第２の領域とを備える。前記第１の領域は、前記第２の方向に延びて前記第１の部品の電極の前記縁部に沿う第１の辺部を有する。前記第２の領域の第２の部分は、前記第２の方向に延びて前記第２の部品の電極の前記縁部に沿う第２の辺部を有する。前記第１の部品の電極は、前記第１の領域と、前記第２の領域の第１の部分とに亘って接合され、前記第２の部品の電極は、前記第１の領域と、前記第２の領域の第１の部分及び第２の部分とに亘って接合される。
【手続補正３】
【補正対象書類名】明細書
【補正対象項目名】００９０
【補正方法】変更
【補正の内容】
【００９０】
一つの形態に係る部品（半導体装置）は、第１の電極と、この第１の電極に向いて突出した部分を有した第２の電極とを備えている。
以下に、出願当初の特許請求の範囲に記載された電子機器を付記する。
［１］(i)筐体と、(ii)前記筐体に収容された基板と、(iii)前記基板に設けられ、第１のパッド部と、第２のパッド部とを有し、この第２のパッド部が、第１の部品の電極の縁部の少なくとも一部に対応した辺部を有した第１の領域と、この第１の領域よりも前記第１のパッド部に向いて突出した部分を有し、前記第１の部品の電極とは大きさが異なる第２の部品の電極の縁部の少なくとも一部に対応した辺部を有した第２の領域とを備えたパッドと、(iv)前記第１のパッド部に接合される端子と、前記第２のパッド部に接合される前記電極とを有した前記第１の部品、及び、前記第１のパッド部に接合される端子と、前記第２のパッド部に接合される前記電極とを有した前記第２の部品のうちいずれか一方と、を備えた電子機器。
［２］、［１］の記載において、前記第１の部品及び前記第２の部品は、それぞれ半導体が内蔵された封止部を有し、前記電極の少なくとも一部は、前記封止部の前記基板に向かい合う領域に設けられた電子機器。
［３］、［１］または［２］の記載において、前記第１の領域及び前記第２の領域は、互いに一体に形成された電子機器。
［４］、［１］または［３］の記載において、前記第２の領域は、前記第２のパッド部から前記第１のパッド部に向かう第１の方向とは交差する第２の方向で前記第１の領域に隣接した第１の部分と、前記第２の方向で前記第１の領域に隣接しない第２の部分とを有し、前記第１の部品の電極は、前記第１の領域と、前記第２の領域の第１の部分とに亘って接合される電子機器。
［５］、［４］の記載において、前記基板は、前記第１の領域の辺部と前記第２の領域の辺部との間に規定され、前記第２の方向で前記第２の領域の第２の部分に隣接した絶縁部を有し、前記第２の部品の電極は、前記第１の領域と、前記第２の領域の第１の部分及び第２の部分とに亘って接合されるとともに、前記絶縁部に重なる電子機器。
［６］、［１］または［５］の記載において、前記パッドは、前記電極、または前記電極と一体または別に設けられた他の端子が接合される第３のパッド部を有し、前記第２のパッド部は、前記第１のパッド部と前記第３のパッド部との間に位置された電子機器。
［７］、［１］または［６］の記載において、前記第２のパッド部は、前記第２の領域よりも、さらに前記第１のパッド部に向いて突出した部分を有し、前記第１の部品の電極及び前記第２の部品の電極とは大きさが異なる第３の部品の電極の縁部の少なくとも一部に対応した辺部を有した第３の領域を備え、当該電子機器は、前記第１の部品、前記第２の部品、及び、前記第３の部品のうちいずれか一つを備えた電子機器。
［８］、［１］の記載において、前記第１の領域の辺部と前記第２の領域の辺部とは、長さが略同じである電子機器。
［９］(i)筐体と、(ii)前記筐体に収容された基板と、(iii)前記基板に設けられ、第１の部品の電極の少なくとも一部に対応した第１の縁部と、第２の部品の電極の少なくとも一部に対応した第２の縁部とを有したパッドと、(iv)前記第１の部品及び前記第２の部品のうちいずれか一方と、を備えた電子機器。
［１０］、(i)筐体と、(ii)前記筐体に収容された基板と、(iii)前記基板に設けられ、第１の部分と、この第１の部分側に突出した部分を有した第２の部分とを備えたパッドと、(iv)前記パッドの第１の部分に接続された第１の電極と、前記パッドの第２の部分に接続された第２の電極とを有した部品と、を備えた電子機器。